(57)【要約】【課題】杖、傘等の長尺物は非使用時においては以外と嵩張り、置く場所に苦労することが少なくない。例えば喫茶店や図書館等に立ち寄り、椅子に腰掛けて少しの間過ごすような場合に杖、傘等の長尺物の置く場所に困ることがある。特に近年においては傘等の紛失を防止するため各自の手元に置くことが多く、テーブル等に立て掛けておくだけでは極めて倒れやすく甚だ面倒である。【解決手段】椅子Ｃに固定した長尺物の保持具１の挟持部材１１に、長尺物としての杖Ｓを保持させる。杖Ｓを互いに隣り合う挟持部材１１の自由端部１７どうしが弾接している部分に対向させて、そのまま自由端部１７どうしの間に押し込む。挟持部材１１はエラストマーによって構成されているので、弾性変形して杖Ｓの進入を許容し、次いで杖Ｓに弾接して保持する。これにより杖Ｓは長尺物の保持具１に保持される。【選択図】        図２
2008000206.tif 000002
【特許請求の範囲】
【請求項１】
ホルダと、前記ホルダに並んだ状態で保持された弾性を有する複数の挟持部材と、前記ホルダを所望の部材に固定する固定手段とを有し、互いに隣り合う挟持部材どうしの間に長尺物を挟み込んで保持することを特徴とする長尺物の保持具。
【請求項２】
請求項１に記載した長尺物の保持具において、互いに隣り合う挟持部材の一部分が互いに弾接した状態でホルダに保持されていることを特徴とする長尺物の保持具。
【請求項３】
請求項１または２に記載した長尺物の保持具において、挟持部材はホルダに対し着脱自在であることを特徴とする長尺物の保持具。
【請求項４】
請求項１から３のいずれかに記載した長尺物の保持具において、ホルダの姿勢を変更して且つ任意の位置に保持する姿勢変更手段が備えられていることを特徴とする長尺物の保持具。
【請求項５】
請求項４に記載した長尺物の保持具において、姿勢変更手段はホルダの姿勢を固定手段に対し回動する方向に変更できるものであることを特徴とする長尺物の保持具。
【請求項６】
請求項１から５のいずれかに記載した長尺物の保持具において、ホルダには広告等を表示するための表示部が設けられていることを特徴とする長尺物の保持具。
【発明の詳細な説明】
【技術分野】
【０００１】
本発明は杖、傘等の長尺物の保持具に係り、特に椅子等の所望の箇所に取り付けて使用する長尺物の保持具に関するものである。
【背景技術】
【０００２】
杖、傘等、日常生活において長尺物を持ち歩くことは案外、多いものである。
【発明の開示】
【発明が解決しようとする課題】
【０００３】
しかしながら、杖、傘等の長尺物は非使用時においては嵩張り、置く場所に苦労することが少なくない。例えば喫茶店や図書館等に立ち寄り、椅子に腰掛けてある程度の時間、過ごすような場合に杖、傘等の長尺物を置く場所に困ることがある。特に近年においては杖、傘等の紛失を防止するため各自の手元に置くことが多く、テーブル等に立て掛けておくだけでは極めて倒れやすく甚だ面倒である。
また、鍵付のホルダを備えている所もあるが、杖、傘等は形状、太さがまちまちであり、一般的なサイズのホルダで種々のタイプの杖、傘等を確実に安定して保持することは困難である。更に鍵を紛失すると、新しい鍵を購入しなければならず、管理が大変なばかりか、その経費もばかにならない
本発明は上記従来の問題点に着目したものであり、各自の手元で種々の形状、太さをもつ杖、傘等を嵩張らない状態で、確実に安定して保持することができる長尺物の保持具を提供することを、その目的とする。
【課題を解決するための手段】
【０００４】
本発明は上記課題を解決するためになされたものであり、請求項１の発明は、ホルダと、前記ホルダに並んだ状態で保持された弾性を有する複数の挟持部材と、前記ホルダを所望の部材に固定する固定手段とを有し、互いに隣り合う挟持部材どうしの間に長尺物を挟み込んで保持することを特徴とする長尺物の保持具である。
【０００５】
請求項２の発明は、請求項１に記載した長尺物の保持具において、互いに隣り合う挟持部材の一部分が互いに弾接した状態でホルダに保持されていることを特徴とする長尺物の保持具である。
【０００６】
請求項３の発明は、請求項１または２に記載した長尺物の保持具において、挟持部材はホルダに対し着脱自在であることを特徴とする長尺物の保持具である。
【０００７】
請求項４の発明は、請求項１から３のいずれかに記載した長尺物の保持具において、ホルダの姿勢を変更して且つ任意の位置に保持する姿勢変更手段が備えられていることを特徴とする長尺物の保持具である。
【０００８】
請求項５の発明は、請求項４に記載した長尺物の保持具において、姿勢変更手段はホルダの姿勢を固定手段に対し回動する方向に変更できるものであることを特徴とする長尺物の保持具である。
【０００９】
請求項６の発明は、請求項１から５のいずれかに記載した長尺物の保持具において、ホルダには広告等を表示するための表示部が設けられていることを特徴とする長尺物の保持具である。
【発明の効果】
【００１０】
本発明の長尺物の保持具によれば、各自の手元で種々の形状、太さの杖、傘等の長尺物を嵩張らない状態で、確実に安定して保持することができる。
【発明を実施するための最良の形態】
【００１１】
本発明の実施の形態に係る長尺物の保持具１を図面にしたがって説明する。
ホルダ３は、主部５と、この主部５に固定される２本の丸棒７とによって構成されている。
主部５はある程度の厚さ寸法をもち、筺体６と後述する空洞部１９を閉鎖する蓋体４３等によって構成されている。また主部５の両端部には直角に曲がる支持部９が設けられており、左右の支持部９には２本の丸棒７が渡設されている。２本の丸棒７は所定の間隔をあけて平行となるように上下に配置されている。
【００１２】
符号１１はエラストマー製の挟持部材を示し、この挟持部材１１は中央部分の上下方向の寸法が大きく形成された平板状で、両端部の上下部分に切り欠き１３が形成されている。
２個の挟持部材１１は長手方向の中心部分である湾曲部１５において湾曲させられ、上下の切り欠き１３がホルダ３の上下に配された丸棒７にそれぞれ嵌められて並んだ状態で保持されている。即ち、２個の挟持部材１１がＵ字状に湾曲させられた状態で２本の丸棒７に保持されており、挟持部材１１の長手方向の中心部分である湾曲部１５を境とする自由端部１７の片方どうしが互いに弾接して並んだ状態で配置されている。尚、湾曲部１５は自由端部１７より高さ寸法がやや大きく、また湾曲部１５には長穴１２が形成されている。
上記のように挟持部材１１は切り欠き１３を丸棒７に嵌めるだけでホルダ３に取り付けられているので、簡単に着脱できる。
【００１３】
図３に示すように、主部５の筺体６は内部が空洞部１９になっており、この空洞部１９には短寸法の円筒部２１が形成されている。この円筒部２１と筺体６の外形を構成する板材２３とによって画定された空間が回転体収容部２５となっている。この回転体収容部２５の左右両側には雌ネジ２７が形成されている。
符号２９は回転体を示し、この回転体２９は円板部３１と、この円板部３１の上面に形成されたボス３３とによって構成されている。ボス３３は短寸法の円柱の外周部の一部を対称となるように二箇所縦断して除去した形状に形成されている。ボス３３の中心部には雌ネジ３５が形成されている。
【００１４】
符号３７は波ワッシャを示し、この波ワッシャ３７は僅かに湾曲しており、またボス３３がちょうど嵌る長穴３９が形成されている。４１は座金を示す。
符号４３は蓋体を示し、この蓋体４３は長方形の板状で、中央に丸穴４５が形成されている。また、蓋体４３の丸穴４５を挟んで左右両側には小穴４７が形成されている。
【００１５】
符号４９は取付板を示し、この取付板４９は左右両端部が直角に折り曲げられたコの形状で、中央板５０と側板５１，５３が一体に設けられている。中央板５０には回転体２９のボス３３が嵌る形状の長穴５５が形成されている。側板５３には図示しない雌ネジが形成され、この雌ネジにはネジシャフト５７が螺合している。ネジシャフト５７の一端部は側板５１と５３との対向領域に位置しており、このネジシャフト５７の一端部には円板状の押え板５９が取り付けられている。またネジシャフト５７の他端部にはハンドル６１が固定されている。
【００１６】
回転体２９は回転体収容部２５に回転可能な状態で収容され、回転体２９のボス３３には波ワッシャ３７が嵌められ、更に座金４１が嵌められている。そして、蓋体４３によって空洞部１９が覆われ、座金６２を嵌めた雄ネジ６３が蓋体４３の小穴４７に挿通され、更に雌ネジ２７に螺合されて、これにより蓋体４３が主部５の筺体６に固定される。
ボス３３は蓋体４３の丸穴４５から突出し、この突出部分が取付板４９の長穴５５に嵌っている。ボス３３の上面には長穴５５より一回り大きい円板６７が設置されている。円板６７の中心には小穴６５が形成され、この小穴６５に雄ネジ６９が挿通されて、ボス３３の雌ネジ３５に螺合されている。これにより取付板４９がボス３３に取り付けられている。
【００１７】
回転体２９のボス３３に嵌められた波ワッシャ３７は円板部３１と座金４１とによって挟まれ押圧されるので、湾曲した状態から弾性変形してほぼ平らな状態になるように規制されている。従って、回転体２９の円板部３１が回転体収容部２５の下面に圧接させられる。これにより回転体２９は一定以上の力をかけなければ回転しないようになっている。
【００１８】
前述のようにボス３３は取付板４９の長穴５５に嵌っているので、取付板４９と回転体２９とは一体に回転する。
固定手段は、取付板４９の雌ネジ、ネジシャフト５７、押え板５９によって構成されている。また、姿勢変更手段は、回転体収容部２５、回転体２９、波ワッシャ３７、座金４１、蓋体４３、円板６７及び雄ネジ６９によって構成されている。
【００１９】
次に、この長尺物の保持具１の使用方法について説明する。
図１、図２に示すように、椅子ＣのパイプＰに取り付ける。即ち、取付板４９の側板５１の内側面をパイプＰに当接させ、ハンドル６１を回してネジシャフト５７を側板５１の方向へ進行させる。そして、押え板５９と側板５１とによってパイプＰを挟み込んで、長尺物の保持具１をパイプＰに固定する。
【００２０】
このようにして椅子Ｃに固定した長尺物の保持具１の挟持部材１１に、長尺物としての杖Ｓを保持させる。即ち、図６に示すように、杖Ｓを互いに隣り合う挟持部材１１の自由端部１７どうしが弾接している部分に対向させて、そのまま自由端部１７どうしの間に押し込む。挟持部材１１はエラストマーによって構成されているので、弾性変形して杖Ｓの進入を許容し、次いで杖Ｓに弾接して保持する。これにより杖Ｓは長尺物の保持具１に保持される。
【００２１】
また、杖Ｓを長尺物の保持具１から外す場合は、杖Ｓの挟持部材１１の自由端部１７から出ている部分を持って手前に軽く引く。これにより挟持部材１１が弾性変形して、杖Ｓを長尺物の保持具１から外すことができる。杖Ｓを外した後の挟持部材１１は自由端部１７どうしが弾接する元の状態となる。
このように、杖Ｓを挟持部材１１の自由端部１７どうしの間に押し込むだけで保持させることができ、杖Ｓを自由端部１７どうしの間から引き出すだけで外すことができる。従って、杖Ｓの形状、太さに有無に関係なく保持することができ、しかも杖Ｓを極めて簡単に外すことが可能である。
【００２２】
上記のように杖Ｓは弾性を有する挟持部材１１によって保持されているので、不用意に倒れたりすることはなく、確実に安定して保持することができる。またほぼ垂直に立った状態で保持されるので、嵩張らない状態で保持でき、邪魔になることもない。
また、隣り合う挟持部材１１の自由端部１７どうしが弾接しているので、かなり細いものであっても、確実に挟持して保持することが可能である。
さらに、挟持部材１１はＵ字状に湾曲しているので、弾性変形できる範囲を大きく取れる。従って、かなり太いものであっても確実に保持することが可能である。
【００２３】
上記のように挟持部材１１は丸棒７に対し簡単に着脱できるので、組立作業を容易に行うことができる。さらに、挟持部材１１の交換等のために、挟持部材１１を外す場合でも極めて容易に作業を行うことが可能である。
また、上記したように回転体２９は一定以上の力をかけなければ回転しないようになっているので、回転体２９と連結されたホルダ３に手を掛けて回転させて所望の角度にすれば、その角度の姿勢で回転体２９が保持される。従って、回転体２９を任意の位置に保持することができる。従って、本実施例では杖Ｓをほぼ垂直に立った姿勢で保持する場合を示したが、杖Ｓが傾斜する姿勢や水平となる姿勢で保持するように、回転体２９の姿勢を変更することが可能である。
【００２４】
図８にその他の実施の形態に係る長尺物の保持具７１を示す。この保持具７１は上記実施の形態に係る長尺物の保持具１と同様の構成部分を有するので、上記実施の形態との相違点についてのみ説明し、同様の構成部分については上記実施の形態で用いた符号を付して、その説明を省略する。
符号７３はホルダを示し、このホルダ７３は矩形の平板８１と、この平板８１に固定された一対の支持板７９とから成る。ホルダ７９は図示しない固定手段としての両面テープによって建物の壁Ｗに固定され、これにより長尺物の保持具７１が壁Ｗに取り付けられている。なお、両面テープによって固定できない壁Ｗの場合は固定手段としてのネジ等によって、長尺物の保持具７１が壁Ｗに取り付けてもよい。
【００２５】
平板８１の支持板７９が備えられた部分より上側の領域が表示部８３となっており、この表示部８３に一例としてタクシー会社の名称と、その電話番号から成る広告が表示されている。
このように長尺物の保持具７１に広告等の表示を付することにより、当該保持具７１を使用する者に種々の情報を伝達することができる。なお、表示の内容は広告宣伝に限らず、注意事項、順路の案内等であってもよく、文字に限らず図形、記号等であってもよい。
図８に示した長尺物の保持具７１において、平板８１の代わりに途中部分から直角に曲がった形状の平板、即ち側面視Ｌ型の平板を構成要素としてもよい。この長尺物の保持具は、側面視Ｌ型の平板の水平方向へ延びる部分の下面をテーブル等の上面に当接させて固定し、垂直方向へ延びる部分をテーブル等の端面に当接させて設置する。そして、前記側面視Ｌ型の平板の水平方向へ延びる部分の上面に表示部を設ければ、当該表示部は極めて視認し易いものとなる。
【００２６】
以上、本発明の実施の形態について詳述してきたが、具体的構成は、この実施の形態に限られるものではなく、本発明の要旨を逸脱しない範囲における設計の変更などがあっても本発明に含まれる。
例えば、上記実施の形態では、杖を保持する場合を示したが、本発明はこれに限定されず、傘、釣り竿等、その他の長尺物を保持するために用いてもよい。また、店舗等のディスプレイ用に例えば、ゴルフクラブ、野球のバット等の長尺物を保持するのに用いてもよい。
【００２７】
上記実施の形態では挟持部材をエラストマーによって構成したが、本発明はこれに限定されず、他の弾性を有する合成樹脂、或いは板バネ等をインサート成形等によって備えた合成樹脂等によって構成してもよい。
なお、上記実施の形態では挟持部材１１の自由端部１７どうしが弾接している場合を示したが、挟持部材１１間に隙間が開くように備えることも可能である。
【産業上の利用可能性】
【００２８】
本発明の長尺物の保持具は、喫茶店、図書館、公衆電話機の脇、公衆トイレの手洗い場や便座の横、ケアサービス施設（老人介護施設）の玄関、バス、電車の座席、パチンコ店内のパチンコ台の横、学校の玄関、教室の前、教室内等の多くの人が利用する施設等に配置する他、個人住宅の玄関等に配置して、広く利用することが可能である。
【図面の簡単な説明】
【００２９】
【図１】本発明の実施の形態に係る長尺物の保持具を椅子に装着して使用した状態を示す斜視図である。
【図２】図１の部分拡大図である。
【図３】図１の長尺物の保持具の分解斜視図である。
【図４】図１の長尺物の保持具の部分破断平面図である。
【図５】図１の長尺物の保持具の側面図である。
【図６】図１の長尺物の保持具に杖を保持させる際の動きを説明するための平面図である。
【図７】図１の長尺物の保持具に杖を保持させる際の動きを説明するための平面図である。
【図８】その他の実施の形態に係る長尺物の保持具を建物の壁に取り付けた状態を示す斜視図である。
【符号の説明】
【００３０】
１，７１  長尺物の保持具      ３，７３  ホルダ
５  主部      ６  筺体      ７  丸穴
９，７９  支持部      １１  挟持部材      １２  切り欠き
１３  切り欠き      １５  湾曲部      １７  自由端部
１９  空洞部      ２１  円筒部      ２３  板材
２３  板材      ２５  回転体収容部      ２７  雄ネジ
２９  回転体      ３１  円板部      ３３  ボス
３５  雄ネジ      ３７  波ワッシャ      ３９  長穴
４１  座金      ４３  蓋体      ４４  本体
４７  小穴      ４９  取付板      ５０  中央板
５１，５３  側板      ５５  長穴      ５７  ネジシャフト
５９  押え板      ６１  ハンドル      ６２  座金
６３  雄ネジ      ６５  小穴      ６７  円板
８１  平板      ８３  表示部
Ｃ  椅子      Ｓ  ステッキ      Ｐ  パイプ      Ｗ  壁
【図１】
2008000206.tif 000003
【図２】
2008000206.tif 000004
【図３】
2008000206.tif 000005
【図４】
2008000206.tif 000006
【図５】
2008000206.tif 000007
【図６】
2008000206.tif 000008
【図７】
2008000206.tif 000009
【図８】
2008000206.tif 000010